(57)【要約】      （修正有）【課題】上下スライド機構を有しないアームレストが装着されている車いすに、上下スライド機構を有するアームレストを装着する。【解決手段】車いす本体フレーム以外の部品で、アームレストスライド用フレーム１３をはじめとする上下スライド機構を有するアームレストを構成した。また、アームレストスライド用フレームの上部と下部それぞれに、車いす本体フレームに取り付けるためのブラケット１７，１８を設けた事により、容易に車いす本体フレームに取り付けることができる。【選択図】図１
2006141592.tif 000002
【特許請求の範囲】
【請求項１】
車いすのアームレストが上下にスライドする機構を、その機能を有していない車いす本体に加工を施すことなく容易に取付けることが出来、アームレストが上下にスライドする機構を有していない車いすが、その機能を有することができるように設計された、上下スライド機構を有するアームレスト。
【発明の詳細な説明】
【技術分野】
【０００１】
本発明は、着座者の肘を載せるように着座部の上方に配置される車いすのアームレストに関するものである。
【背景技術】
【０００２】
従来の車いすの多くは、上下スライド機構を有しないアームレストが装着されている車いすである。（例えば非特許文献1参照。）
また、上下スライド機構を有するアームレストが装着されている車いすは、車いす本体のフレームを使用、もしくは上下スライド機構を有するための構造の一部が車いす本体のフレームに溶接固定されている場合がほとんどである。（例えば非特許文献2参照。）
【０００３】
以下図2、3より従来のアームレストについて説明する。図において、上下スライド機構を有するアームレストが装着された車いす11においては、着座者の肘を載せるためのクッション部１0と、クッション部支柱フレーム７がボルト23a、23ｂにより固定されており、クッション部支柱フレーム７が鞘状のアームレストスライド用フレーム5の内部に入り込み、アームレストスライド用フレーム５に固定されているアームレスト固定用ノブ8a、8bを用いてクッション部支柱フレーム７を固定し、着座者の肘を載せるためのクッション部１0の上下スライドを規制する構造である。
【０００４】
上下スライド機構を有しないアームレストが装着されている車いす４においては、着座者の肘を載せるためのクッション部３が車いす本体フレーム２に固定用ボルト１a、1bを貫通させ、固定する構造である。
【非特許文献１】「松永製作所フルラインナップカタログ2004 vol6-1」  株式会社松永製作所
【非特許文献２】「2000ミキ車いす総合カタログ」  株式会社ミキ
【発明の開示】
【発明が解決しようとする課題】
【０００５】
上記に述べた従来の上下スライド機構を有するアームレストでは、アームレストスライド用フレーム5と車いす本体フレーム6が一体化されていることから、4のような上下スライド機構を有しないアームレストが装着されている車いすに上下スライド機構を有するアームレストを本体フレームを加工する事なく装着することが困難であった。
【０００６】
本発明は、このような従来の構成が有していた問題を解決しようとするものであり、上下スライド機構を有しないアームレストが装着されている車いすに、上下スライド機構を有するアームレストを装着することを実現することを目的とするものである。
【課題を解決するための手段】
【０００７】
そして、本発明は上記目的を達成するために、上下スライド機構を有するアームレストのクッション部を支える支柱フレームと、上下スライドさせるためのアームレストスライ
ド用フレームを、車いす本体フレーム以外の部品で構成し、アームレストスライド用フレームの上部と下部それぞれに車いす本体フレームに取り付けるためのブラケットを設けたものである。
【０００８】
また、第二の解決手段は、クッション部を支える支柱フレームに平板を使用し、アームレストスライド用フレームに薄型角断面を持つパイプ材を使用した構成としたものである。
【０００９】
上記第一の課題解決手段による作用は次の通りである。すなわち車いす本体フレーム以外の部品で上下スライド機構を有するアームレストを構成し、アームレストスライド用フレームの上部と下部それぞれに車いす本体フレームに取り付けるためのブラケットを設けたことにより、車いす本体フレームにアームレストスライド用フレームが設けられておらず、上下スライド機構を有しないアームレストが装着されている車いすにも、上下スライド機構を有するアームレストを容易に装着することができる。
【００１０】
また、第二の課題解決手段による作用は、クッション部を支える支柱フレームに平板を使用し、アームレストスライド用フレームに薄型角断面を持つパイプ材を使用した構成とする事により、車いすの後輪と車いす本体フレームの隙間に上下スライド機構を有するアームレストを装着することが、後輪タイヤに干渉することなく容易にできる。
【発明の効果】
【００１１】
上述したように本発明の上下スライド機構を有するアームレストは、今まで装着することが困難であった上下スライド機構を有しないアームレストが装着されている車いすにも、容易に上下スライド機構を有するアームレストを装着することができる為、使用者が車いすを買い換える又は、本体の改造をすることなく、短時間で上下スライド機構を有するアームレストが装着されている車いすを提供することができる。
【発明を実施するための最良の形態】
【００１２】
以下、本発明の実施の形態を図に基づいて説明する。
【００１３】
図1においては、12は着座者の肘を載せるためのクッション部、クッション部支柱フレーム14、アームレストスライド用フレーム13、で構成され、アームレストスライド用フレーム13にクッション部支柱フレーム14を固定させるためのアームレスト固定用ノブ16、さらにアームレスト固定用プランジャー15を設ける。また、アームレストスライド用フレーム13の上部に車いす本体フレームへの取付けブラケット17、下部に車椅子本体フレームへの取付けブラケット18を設け、それぞれ車いす本体フレームに固定する。
【００１４】
図1のように、着座者の肘を載せるためのクッション部12はクッション部支柱フレーム14にクッション部固定用ボルト20によって固定されている。クッション部支柱フレーム14はアームレストスライド用フレーム13の中に入り込む構造とし、アームレストスライド用フレーム13に設けられたアームレスト固定用ノブ16、アームレスト固定用プランジャー15を使用してクッション部支柱フレーム14を固定する。
【００１５】
図4ではクッション部支柱フレーム14がアームレストスライド用フレーム13の中に入り込んだ状態となる。
【００１６】
アームレストスライド用フレーム13の上部に取付けられている車いす本体フレームへの取付けブラケット17は、図5のような車いす本体フレームに上部より被せることが可能な形状をしており、上部から被せた後に取付けボルト21a、21ｂを使用して車いす本体フレーム2に固定する。（図７参照）車いす本体フレームへの取付けブラケット18はアームレストスライド用フレーム13には固定されておらず、車いす本体フレーム23に取り付けボルト19a、19ｂを使用してアームレストスライド用フレーム13を挟むように固定させる。
【００１７】
また図5のように、アームレストスライド用フレーム13は薄型角断面を持つパイプ材を使用し、また、クッション部支柱フレーム14に平板を使用している。
【００１８】
以下、図1、図9を参照に、上記構成の説明をする。図1、図9共に上下スライド機構を有しないアームレストが装着されている車いす4に、本発明の上下スライド機構を有するアームレストを取付けた状態を示すものである。上下スライド機構を有しないアームレストが装着されている車いす4の車いす本体フレーム2に、取付けボルト21を使用して取付けブラケット17と、取り付けボルト19a、19bを使用して取付けブラケット18をそれぞれ固定している。図8のようにアームレストスライド用フレーム13に薄型角断面を持つパイプ材を使用し、また、クッション部支柱フレーム14に平板を使用しているため、上下スライド機構を有しないアームレストが装着されている車いす4の駆動輪22に干渉することなく、容易に上下スライド機構を有するアームレストが取付け可能となる。
【図面の簡単な説明】
【００１９】
【図１】図9のA―A線断面図
【図２】上下スライド機構を有しないアームレストが装着されている車いすの全体図面
【図３】従来の上下スライド機構を有するアームレストが装着されている車いす
【図４】本発明の上下スライド機構を有するアームレスト全体図
【図５】本発明の上下スライド機構を有するアームレスト正面図
【図６】本発明の上下スライド機構を有するアームレスト側面図
【図７】図4における上部から見た取付けブラケット17の詳細図
【図８】図4における上部から見た取付けブラケット18の詳細図
【図９】上下スライド機構を有しないアームレストが装着されている車いすに、本発明の上下スライド機構を有するアームレストを取付けた状態の正面図
【符号の説明】
【００２０】
４．上下スライド機構を有しないアームレストが装着されている車いす
５．従来の上下スライド機構を有するアームレストが装着されている車いすのアームレストスライド用フレーム
６．従来の上下スライド機構を有するアームレストが装着されている車いすの車いす本体フレーム
１１．従来の上下スライド機構を有するアームレストが装着されている車いす
１２．着座者の肘を載せるためのクッション部
１３．アームレストスライド用フレーム
１４．クッション部支柱フレーム
１５．アームレスト固定用プランジャー
１６．アームレスト固定用ノブ
１７．上部取付けブラケット
１８．上部取付けブラケット
１９．下部ブラケット取り付けボルト
２０．クッション部固定用ボルト
２１．上部ブラケット取付けボルト
２２．上下スライド機構を有しないアームレストが装着されている車いすの駆動輪
２３．車いす本体フレーム
【図１】
2006141592.tif 000003
【図２】
2006141592.tif 000004
【図３】
2006141592.tif 000005
【図４】
2006141592.tif 000006
【図５】
2006141592.tif 000007
【図６】
2006141592.tif 000008
【図７】
2006141592.tif 000009
【図８】
2006141592.tif 000010
【図９】
2006141592.tif 000011